(57)【要約】  本発明は、アンモニアから水素を製造する方法に関し、特に、燃料電池および／または原動機で用いるために、アンモニアを１族金属、特にナトリウムと反応させることによって、アンモニアから水素を製造する方法に関する。該方法は、現場である車両にて実行することができる。本発明はまた、アンモニアから水素を製造するための装置にも関する。【選択図】  図１
2015502310.tif 000002
【特許請求の範囲】
【請求項１】
アンモニアから水素を製造する方法であって、
（ｉ）アンモニアを燃料源として提供するステップと、
（ｉｉ）アンモニアを反応器内に導入し、アンモニアの少なくとも一部を金属および／または金属含有化合物と反応させて少なくとも１つの中間体および任意選択的に水素を形成するステップと、
（ｉｉｉ）ステップ（ｉｉ）で生成された前記中間体の少なくとも一部を分解させて水素を形成し、かつ前記金属および／または前記金属含有化合物を再生するステップと、
（ｉｖ）ステップ（ｉｉｉ）で形成された水素の少なくとも一部を取り出すステップと、
（ｖ）前記再生された金属および／または前記再生された金属含有化合物をさらなるアンモニアと反応させるステップと、を含む方法。
【請求項２】
現場である車両内で実行される、請求項１に記載の方法。
【請求項３】
前記取り出された水素を燃料電池または原動機内に導入するステップをさらに含む、請求項１または２に記載の方法。
【請求項４】
前記取り出された水素を燃焼させるステップをさらに含む、請求項１ないし３のいずれかに記載の方法。
【請求項５】
前記少なくとも１つの中間体が安定した分離可能な中間体である、請求項１ないし４のいずれかに記載の方法。
【請求項６】
前記少なくとも１つの中間体が金属アミドである、請求項１ないし５のいずれかに記載の方法。
【請求項７】
アンモニアが気体および／または液体状態である、請求項１ないし６のいずれかに記載の方法。
【請求項８】
アンモニアが注入、ポンピング、噴射、および／または機械的手段によって前記反応器内に導入される、請求項１ないし７のいずれかに記載の方法。
【請求項９】
アンモニアが−３０℃から８００℃の範囲の温度で前記反応器内に導入される、請求項１ないし８のいずれかに記載の方法。
【請求項１０】
アンモニアが０．０１から１００ＭＰａの範囲の圧力で前記反応器内に導入される、請求項１ないし９のいずれかに記載の方法。
【請求項１１】
アンモニアが１０から２０ＭＰａの範囲の圧力で前記反応器内に導入される、請求項１ないし１０のいずれかに記載の方法。
【請求項１２】
前記アンモニア燃料源を補給するステップをさらに含む、請求項１ないし１１のいずれかに記載の方法。
【請求項１３】
前記金属および／または金属含有化合物が、１族金属、２族金属、遷移金属、ｐ‐ブロック金属、ランタニド金属、合金、およびそれらの２つ以上の混合物または組合せを含むか、あるいはそれらから成る群から選択される、請求項１ないし１２のいずれかに記載の方法。
【請求項１４】
前記１族金属がＮａ、Ｌｉ、Ｋ、Ｒｂ、Ｃｓ、合金、およびそれらの２つ以上の混合物から成る群から選択される、請求項１３に記載の方法。
【請求項１５】
前記１族金属がＮａである、請求項１４に記載の方法。
【請求項１６】
前記２族金属がＢｅ、Ｍｇ、Ｃａ、Ｓｒ、Ｂａ、合金、およびそれらの２つ以上の混合物から成る群から選択される、請求項１３に記載の方法。
【請求項１７】
前記遷移金属がＳｃ、Ｙ、Ｔｉ、Ｖ、Ｃｒ、Ｍｎ、Ｆｅ、Ｃｏ、Ｎｉ、Ｃｕ、Ｚｎ、Ｚｒ、Ｎｂ、Ｍｏ、Ｔｃ、Ｒｕ、Ｒｈ、Ｐｄ、Ａｇ、Ｃｄ、Ｈｆ、Ｔａ、Ｗ、Ｒｅ、Ｏｓ、Ｉｒ、Ｐｔ、Ａｕ、Ｈｇ、合金、およびそれらの２つ以上の混合物から成る群から選択される、請求項１３に記載の方法。
【請求項１８】
前記ランタニド金属がＬａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ、合金、およびそれらの２つ以上の混合物から成る群から選択される、請求項１３に記載の方法。
【請求項１９】
前記金属含有化合物が金属水素化物、金属窒化物、金属イミド、およびそれらの２つ以上の混合物から成る群から選択される、請求項１ないし１８のいずれかに記載の方法。
【請求項２０】
前記金属および／または金属含有化合物が固体、液体、または分散状態である、請求項１ないし１９のいずれかに記載の方法。
【請求項２１】
少なくとも１つの中間体を形成する、少なくとも一部のアンモニアと金属および／または金属含有化合物の反応が触媒の存在下で実行される、請求項１ないし２０のいずれかに記載の方法。
【請求項２２】
前記触媒が１つ以上の遷移金属、ランタニド金属、およびそれらの混合物を含む、請求項２１に記載の方法。
【請求項２３】
前記触媒が、遷移金属カロゲナイド、ランタニド金属カロゲナイド、遷移金属ハロゲン化物、ランタニド金属ハロゲン化物、遷移金属プニクタイド、ランタニド金属プニクタイド、遷移金属テトレル、ランタニド金属テトレル、およびそれらの２つ以上の混合物から成る群から選択される、請求項２２に記載の方法。
【請求項２４】
金属および／または金属含有化合物に対するアンモニアのモル比が１：１から１：２の範囲になるように、前記少なくとも一部のアンモニアが前記反応器内に導入される、請求項１ないし２３のいずれかに記載の方法。
【請求項２５】
前記少なくとも１つの中間体を形成する、前記少なくとも一部のアンモニアと前記金属および／または前記金属含有化合物との反応が−３０℃から８００℃の範囲の温度で実行される、請求項１ないし２４のいずれかに記載の方法。
【請求項２６】
前記少なくとも１つの中間体を形成する、前記少なくとも一部のアンモニアと金属との反応が１０から２０Ｍｐａの範囲の圧力で実行される、請求項１ないし２５のいずれかに記載の方法。
【請求項２７】
前記金属および／もしくは前記金属含有化合物ならびに／またはその前駆体が前記反応器内に導入される、請求項１ないし２６のいずれかに記載の方法。
【請求項２８】
前記金属および／もしくは前記金属含有化合物ならびに／またはその前駆体が、前記反応器内にポンピング（好ましくは電動）、噴射によって導入され、または機械的に導入される、請求項２７に記載の方法。
【請求項２９】
アンモニアと前記金属および／または前記金属含有化合物との反応によって形成された水素を前記反応器から取り出すステップをさらに含む、請求項１ないし２８のいずれかに記載の方法。
【請求項３０】
ステップ（ｉｉ）で形成された前記中間体の少なくとも一部が、電気化学的、熱的、マイクロ波、機械的、衝撃、燃焼、デトネーション、および／または超音波手段によって分解されて水素を形成し、かつ前記金属および／または前記金属含有化合物の少なくとも一部を再生する、請求項１ないし２９のいずれかに記載の方法。
【請求項３１】
第１反応器で形成された前記中間体の少なくとも一部を第２反応器に移送するステップをさらに含む、請求項１ないし３０に記載の方法。
【請求項３２】
ステップ（ｉｉｉ）を前記第２反応器で実行することをさらに含む、請求項３１に記載の方法。
【請求項３３】
前記再生された金属および／または前記再生された金属含有化合物の少なくとも一部を前記第２反応器から前記第１反応器に移送するステップをさらに含む、請求項３２に記載の方法。
【請求項３４】
水素が使用地点でまたは分散ネットワークに提供される、請求項１ないし３３のいずれかに記載の方法。
【請求項３５】
アンモニアから水素を製造するための装置であって、
金属および／または金属含有化合物を収容する反応器と、
アンモニアを燃料として収容する燃料源タンクと、
前記燃料を前記反応器内に導入するために前記タンクを前記反応器に接続する管路と、
前記金属および／または金属含有化合物とアンモニアの反応によって前記反応器内で形成された中間体の分解を発生させるために前記反応器にエネルギを投入するように構成され、前記反応器に連結されたエネルギ源と、
水素を前記反応器から取り出すための前記反応器からの水素出口と、を備えた装置。
【請求項３６】
前記水素出口が燃料電池または原動機に接続される、請求項３５に記載の装置。
【請求項３７】
前記反応器が第１反応器と第２反応器とを含み、
前記第１反応器で形成された中間体を前記第２反応器へ移送するために前記第１および第２反応器を第２管路が接続し、
前記燃料を前記反応器内に導入するために前記タンクを前記反応器に接続する管路が前記第１反応器に接続され、
前記反応器内で前記金属および／または金属含有化合物とアンモニアの反応によって形成された中間体の分解を生じるために、エネルギを前記反応器に投入するように構成されたエネルギ源が前記第２反応器に連結され、
前記反応器から水素を取り出すために、前記水素出口が前記第２反応器に接続され、
装置がさらに、前記中間体の分解から再生された金属および／または金属含有化合物を前記第１反応器へ移送するために、前記第２反応器から前記第１反応器への再循環管路を備えた、請求項３５または３６に記載の装置。
【請求項３８】
前記水素出口が燃料電池または原動機に接続された、請求項３５ないし３７のいずれか一項に記載の装置。
【請求項３９】
請求項３５ないし３８のいずれか一項に記載の装置を備えた車両。
【請求項４０】
図および実施例に関連して本書に実質的に記載した方法。
【請求項４１】
図および実施例に関連して本書に実質的に記載した装置。
【発明の詳細な説明】
【技術分野】
【０００１】
本発明は、アンモニアから水素を製造する方法に関し、特に、燃料電池および／または原動機に用いるためにアンモニアから水素を製造する方法に関する。該方法は現場である車両内で実行することができる。本発明はまた、アンモニアから水素を製造するための装置にも関する。
【背景技術】
【０００２】
石油、石炭、およびガスからのエネルギ供給の将来についての正確な時間尺度は不確かであり、熱心に議論されているが、エネルギ源として化石燃料を頼りにすることは支持できない。化石燃料は現在、それらの形成速度の百万倍を超える速度で消費されている。また、大気中に放出される二酸化炭素の量は、かなりの人為的構成部分を有することも明らかである。
【０００３】
輸送は主要なエネルギ部門の１つであり、エネルギ供給をほぼ完全に化石燃料に依存している。石油およびディーゼルから液化石油（ＬＰＧ）へ、かつさらに圧縮天然ガス（ＣＮＧ）への移行はＣＯ2の排出を低下させるであろうと認識されている。今世紀の前半に内燃機関に取って代わる２つの主要技術は、バッテリおよび燃料電池である。輸送の化石燃料システム一辺倒からの脱却はすでに始まっており、ガソリン／ディーゼル‐バッテリハイブリッドは現在、自動車市場の小さいが増大しつつある構成要素を形成している。
【０００４】
水素の貯蔵は、水素燃料電池電気自動車の大量生産に向けた動きおよび低炭素経済に向けた動きにおける主要な科学技術的課題の１つである。貯蔵は軽量かつコンパクトであるだけでなく、安全、安価、長期的でもあり、かつ理想的には迅速に補給可能でもなければならないなど、複数の基準を満たさなければならない。
【０００５】
改善された固体水素貯蔵材料の探究中に重要な問題が生じてきた。例えば、容易な可逆性は多くの錯体水素化物の研究にとって大きな課題である一方、多孔質構造における物理吸着は依然として極低温に制限されている。固体水素貯蔵には非常に大きな研究努力が注がれてきたが、自動車メーカにとっては、従来の金属水素化物と組み合わせた高圧ガス貯蔵が依然として現在の中期的候補と受け止められている。
【０００６】
水素の現場生成は燃料電池での使用が考慮されてきた。水素は例えばメタノールおよび／またはメタンから形成される。しかし、メタノールおよび／またはメタンからの水素形成は、必然的に二酸化炭素および／または一酸化炭素の排出を導く。メタノールおよび／またはメタンからの水素形成には、他にも、二次水槽の必要性および改質触媒のコーキングのような、関連する不都合がある。
【発明の開示】
【発明が解決しようとする課題】
【０００７】
本発明の目的の１つは、燃料電池もしくは原動機で使用するための先行技術の水素貯蔵および水素製造の問題を克服しもしくはそれに対処すること、または商業的に有用なその代替手段を少なくとも提供することである。代替的かつ／または追加の目的は、公知の方法より製造が安価でありかつ／またはより効果的な、燃料電池または原動機用の水素製造方法および装置を提供することである。
【課題を解決するための手段】
【０００８】
本発明の第１態様では、アンモニアから水素を製造する方法であって、
（ｉ）燃料源としてアンモニアを提供するステップと、
（ｉｉ）アンモニアを反応器内に導入し、アンモニアの少なくとも一部を金属および／または金属含有化合物と反応させて、少なくとも１つの中間体および任意選択的に水素を形成するステップと、
（ｉｉｉ）ステップ（ｉｉ）で生成された中間体の少なくとも一部を分解して水素を形成し、かつ金属および／または金属含有化合物を再生するステップと、
（ｉｖ）ステップ（ｉｉｉ）で形成された水素の少なくとも一部を除去するステップと、
（ｖ）再生された金属および／または再生された金属含有化合物をさらなるアンモニアと反応させるステップと、
を含む方法を提供する。
【０００９】
本発明の第２態様では、アンモニアから水素を製造するための装置であって、
金属および／または金属含有化合物が入っている反応器と、
燃料としてのアンモニアが入っている燃料源タンクと、
燃料を反応器内に導入するためにタンクを反応器に接続する管路と、
金属および／または金属含有化合物とアンモニアの反応によって反応器で形成された中間体の分解を発生させるために反応器にエネルギを投入するように構成され、反応器に連結されたエネルギ源と、
水素を反応器から取り出すための反応器からの水素出口と、
を備えた装置を提供する。
【００１０】
次に、本発明についてさらに説明する。以下の節では、本発明の様々な態様をより詳細に記載する。そのように記載する各態様は、そうでないことが明確に指摘されない限り、単数または複数の他の態様と組み合わせてよい。特に、好適または有利であると指摘されたいずれかの特徴は、好適または有利であると指摘された単数または複数のいずれかの他の特徴と組み合わせてよい。
【００１１】
本開示の要素またはその好適な実施形態を紹介するときに、冠詞「a」、「an」、「the」、および「said(前記)」は、要素が1つ以上存在することを意味するものである。用語「備える(comprising)」、「含む(including)」、および「有する(having)」は包括的であり、列挙された要素以外に追加の要素も存在してよいことを意味するものである。
【００１２】
本書に記載する方法および装置は、燃料源として、特に水素源として、好ましくは気体状態および／または液体状態であるアンモニアを使用する。アンモニアは、水素貯蔵材料として使用するのに有利な複数の属性を有する。アンモニアは、その分子構造に基づいて１７．６５ｗｔ％という高い水素貯蔵容量を有する。それは温和な条件下で液化することができる。室温におけるアンモニアの蒸気圧は９．２バールであり、その物理的性質はプロパンに類似している。しかし、今まで、幾つかの事情が、商業規模の車両での水素製造におけるその使用の成功を阻んできた。これらの事情は、どちらも事実でありかつ認識されている安全性及び毒性の問題を含む。さらに、アンモニアから水素を放出するために、かなりのエネルギ投入が必要である。したがって、今まで、水素の製造でアンモニアを燃料源として利用するための商業的に有用な方法および／または装置は存在しなかった。
【００１３】
しかし、本発明者らは、アンモニアが金属および／または金属含有化合物と反応して少なくとも１つの中間体および任意選択的に水素を形成することを含む、アンモニアから水素を製造する方法を開発した。中間体は次いで分解されて水素を形成し、かつ金属および／または金属含有化合物を再生する。再生された金属および／または金属含有化合物は次いで、さらなるアンモニアと反応する。このようにして、金属および／または金属含有化合物はプロセスを再循環することができ、さらなるアンモニアを水素に変換させることを可能にする。好ましくは、金属および／または金属含有化合物は、アンモニアと反応して中間体を形成する反応体であり、単純に触媒として作用するわけではない。
【００１４】
好ましくは、形成された中間体は、安定した分離可能な中間体である。１つの実施形態では、中間体はそれが形成された第１反応器内で分解され、それは第２反応器に移送されない。代替的実施形態では、中間体は、中間体の有意の分解を生じることなく、第１反応器から第２反応器へ移送することができる。本書で使用する場合、「有意の分解を生じることなく」とは、中間体を第１反応器から第２反応器へ移送する間に、好ましくは、中間体の組成が大きく変化しないか、あるいは変化しないことを意味する。好ましくは、移送される中間体の総重量に基づいて、中間体の５重量パーセント未満または１重量パーセント未満が移送中に分解する。
【００１５】
好ましくは、中間体はアンモニア‐金属配位錯体、または金属および／または金属含有化合物の表面に吸着したアンモニアではない。好ましくは、形成される中間体は化合物であり、好ましくはイオン性または共有結合性化合物である。上に概説した通り、好ましくは、金属および／または金属含有化合物は、アンモニアと反応して中間体を形成する反応体であり、それは単に触媒として作用するわけではない。
【００１６】
好ましくは、本発明の中間体は熱力学的に有利なプロセスを介して形成される。例えば、
ＮＨ3＋Ｍ＝中間体＋ｙＨ2
好ましくは、形成される中間体は金属アミドであり、ｙは形成される中間体の性質によって異なる。ＭがＮａであり、ＮａＮＨ2が形成される場合、ΔＨ＝−７７．９ｋＪ／ｍｏｌ-1であり、ΔＳ＝−１０１．９Ｊｍｏｌ-1Ｋ-1である。
【００１７】
このシステムの１つの利点は、中間化合物の形成が熱力学的に自発的であることである。さらに、中間化合物の分解は、反応体金属および／または金属含有化合物Ｍを形成する。中間体の形成のエンタルピを使用して、Ｈ2を形成する中間体の分解を促進することができる。中間体がＮａＮＨ2である場合、分解は０．５Ｎ2、Ｈ2、およびＮａ、または０．５Ｎ2、０．５Ｈ2、およびＮａＨを形成する。
【００１８】
中間体（好ましくは金属アミド）の形成で発生した水素を利用すると、例えばＰＥＭ燃料電池では、好ましくは１２０〜２４０ｋＪ／ｍｏｌが発生する。このエネルギは、好ましくはナトリウムアミドである中間体の分解を誘発するのに充分である。そのようなシステムの「正味の」水素エネルギの発生（総水素エネルギから物質の分解に必要な水素エネルギを差し引いたものと定義される）はしたがって、〜１１．７ｗｔ％の水素という使用可能な水素貯蔵容量に相当する、１．０Ｈ2／ｍｏｌ中間体（好ましくは金属アミド、最も好ましくはナトリウムアミド）（またはＮＨ3１モル当たり１．０Ｈ2／ｍｏｌ）である。完全なシステムの場合、２０ｋｇの補助反応器および貯蔵容器の重量ならびに５４．５ｋｇの液体アンモニアを収容する８０Ｌアンモニアタンクを推定して、使用可能な水素貯蔵容量は８．６ｗｔ％である（補助反応器および容器が３０ｋｇの場合、システム密度は７．６ｗｔ％Ｈ2であり、４０ｋｇでは６．８ｗｔ％、５０ｋｇでは６．１ｗｔ％である）。これは、今まで提案されてきた全ての固体水素貯蔵システムよりかなり優れており、正味水素密度は言うまでもなく、総水素密度を考慮した場合にも、今までの圧倒的大部分は、これらのシステム水素密度を超えない。記載する本発明のさらなる利点は、液体または気体アンモニアが迅速かつ容易に補給されることである。
【００１９】
最も好ましくは、中間体は金属アミドである。好ましくは、金属アミドは安定しており、かつ反応器から分離可能である。しかし、形成された金属アミドは非常に過渡的であり、所与の反応条件で分解するまで１秒の数分の１、数秒、数分以上しか存在しない。
【００２０】
好ましくは、形成された金属アミドは、陽イオンがそれぞれＭ+、Ｍ2+、Ｍ3+、およびＭ4+であるときに化学式ＭＮＨ2、Ｍ（ＮＨ2）2、Ｍ（ＮＨ2）3、またはＭ（ＮＨ2）4の第一アミドである。好ましくは、金属アミドは、イミドを形成する反応器の反応条件下では分解しない。好ましくは、金属アミド  は窒素ガスおよび水素ガスおよび金属Ｍに分解し、あるいはそのように分解させることができる。
【００２１】
好ましくは、ステップ（ｉｉ）で形成された中間体の分解は、追加水素の不在下で起きる。「追加水素」とは、アンモニアと金属および／または金属含有化合物との反応中あるいは前記反応によって形成された中間体の分解中に発生したものではない水素を意味する。
【００２２】
好ましくは、本書に記載する方法は現場である車両内で実行される。好ましくは、それはハイブリッド自動車で実行される。
【００２３】
有利なことに、本発明は、当業界で現在使用されているより低い温度で、好ましくは時間の経過により汚染することのない、好ましくはより安価な活性化剤で、アンモニアを熱分解する方法に関する。１つの実施形態では、本発明は、使用地点で水素が提供されるようにした方法に関する。代替的に、かつ／または加えて、水素は使用場所とは離れた位置で製造してもよく、任意選択的に、前記水素は分散ネットワークに導入してもよい。
【００２４】
用語「分散ネットワーク」とは、少なくとも１つの分散発電所または分散エネルギ資源システムに接続された電力網を指す。分散発電所および／または分散エネルギ資源システムは、３ｋＷから１０，０００ｋＷの範囲の電力を発電し、従来の電力システムの代わりおよび／または強化をもたらすために使用される、小規模発電施設であってよい。
【００２５】
本書に記載する方法はさらに、取り出された水素の少なくとも一部を輸送および／または貯蔵手段に導入することを含んでよい。貯蔵手段は、いずれかの適切な容器、例えばボンベを含んでよい。輸送手段は、例えば所望の最終地点に水素を送達するための管またはネットワークを含んでよい。
【００２６】
好ましくは、本書に記載する方法は、熱電用途、補助発電機電力、消費者用電気製品、ならびに大規模高需要電力使用者を含む任意の用途のために、燃料電池および／または原動機および／または燃焼機関、好ましくはアンモニア内燃機関と共に実行される。好ましくは、該方法は、化学産業、半導体産業、石油化学産業、石油産業、エネルギ産業、または水素ガスを利用または必要とするプロセスであって、水素がアンモニアとして貯蔵され、必要に応じて水素に変換されるプロセスにおける用途を含め、水素を必要とする用途のために、アンモニアから供給源で水素を提供する手段を提供する。
【００２７】
好ましくは、本書に記載する方法は、全国高圧送電線網に接続されないまたは切断されたシステムに電力を提供するために水素を燃料電池に送達することを含め、街灯、信号機、バックアップ電源、および家電機器などの家庭用の熱電供給のような、地方および／または隔離された用途を含め、任意の用途のために、燃料電池または原動機または燃焼機関、好ましくはアンモニア内燃機関と共に実行される。１つの実施形態では、バックアップ電源は病院またはデータセンタ用である。適切な家電機器はボイラ、オーブン、冷蔵庫、洗濯機、食洗機、照明、およびコンピュータを含む。
【００２８】
好ましくは本書に記載する方法は、水素供給が不可欠であり、かつ／または工業地におけるアンモニアへの送達およびアンモニアの貯蔵が可能であり、その後、アンモニアから水素への変換または部分変換を行って高い水素容量を現場で確保することができる場所で、大量の水素の連続発生をもたらすことができる。
【００２９】
好ましくは、本書に記載する方法はさらに、取り出された水素および／または部分的に変換されたアンモニアを燃料電池または原動機または燃焼機関、好ましくはアンモニア内燃機関に導入するステップを含む。任意選択的に、取り出された水素は、存在するアンモニアを除去するためにフィルタに通される。フィルタは、１族、２族、および／もしくは遷移金属ハロゲン化物、ならびに／または１族、２族、および／もしくは遷移金属水素化ホウ素化物、ならびに／または固体アンモニア／水素フィルタを含むことができる。任意選択的に、水素およびアンモニアは、物理的分離方法によって、例えば温度および／または圧力を変えることによって分離することができる。適切な材料は、操作温度、質量、フィルタ容量、および／または効率に応じて選択しかつ調整することができる。任意選択的に、取り出された水素は、反応器を循環してアンモニア変換速度を高め、直列または並列の追加反応器を通過してアンモニア変換および／または水素純度を高め、かつ／または燃焼、燃料電池、原動機、化学的またはその他の目的のために（上記参照）特に所望されるアンモニア：水素比率を達成することができる。
【００３０】
本発明で製造された水素は、いずれかの適切な燃料電池、例えばＰＥＭ（プロトン交換膜）燃料電池、または当業界で公知の他の燃料電池で使用することができる。部分的に変換されたアンモニアは、燃料電池または原動機または燃焼機関、好ましくはアンモニア内燃機関で使用することができる。
【００３１】
本書に記載する方法はさらに、取り出された水素を燃焼するステップを含むことができる。例えば、取り出された水素は、適切に改変された内燃機関内で直接燃焼するか、あるいはアンモニア内燃機関でアンモニアと共に利用することができる。
【００３２】
アンモニアは燃料源として提供される。アンモニアは気体および／または液体状態で提供することができる。液体および気体アンモニアを貯蔵するための適切な条件は当業界で公知である。典型的にはアンモニアは無水である。アンモニアは圧力下で、極低温で、かつ／またはソリッドステートストア（solid state store）で貯蔵することができる。アンモニアは、液体として、例えば加圧液体として、または気体、例えば高圧ガスとして、遠隔タンクに貯蔵し、かつ反応器内へ移送することができる。加圧ガスとして貯蔵する場合、アンモニアは０．１から１０ＭＰａで貯蔵することが好ましい。
【００３３】
アンモニアは、注入、ポンピング、噴射、および／または機械的手段によって反応器内に導入することができる。好ましくは、アンモニアは噴射手段によって導入される。アンモニアは溶融金属Ｍ内に直接導入され、かつ／または溶融金属Ｍ中にバブリングされる。好ましくは、アンモニアは加熱気体として導入される。
【００３４】
好ましくは、アンモニアは、−３０℃から８００℃、より好ましくは１００℃から７００℃、または２００℃から６００℃、好ましくは３５０℃から５００℃、または１５０℃から５００℃、より好ましくは２２０℃から４５０℃、最も好ましくは２５０℃から４５０℃の範囲の温度で、反応器に導入される。中間体を形成する反応および同中間体の分解の速度論は温度によって影響される。アンモニアを例えば３５０℃または５００℃を超える高温で導入することにより、中間体の反応および分解の速度論に影響する、流入ガスによる反応の冷却が防止される。
【００３５】
好ましくは、アンモニアは、０．０１から１００Ｍｐａの範囲、より好ましくは０．１から１００Ｍｐａの範囲、より好ましくは０．１から５０Ｍｐａ、または１から５０Ｍｐａの範囲、さらにより好ましくは５から３０Ｍｐａまたは０．１から３０Ｍｐａの範囲、最も好ましくは１０から２０Ｍｐａの範囲の圧力で、反応器に導入される。中間体を形成する反応および同中間体の分解の速度論は、圧力によって影響される。例えば１０ＭＰａ超または２０Ｍｐａ超の高圧でアンモニアを導入することにより、反応および分解の速度を増加または低減することができる。
【００３６】
反応器が動作中の間（すなわち、アンモニアの少なくとも一部を金属および／または金属含有化合物と反応させて、少なくとも１つの中間体および任意選択的に水素を形成するために反応器が使用されている間）、アンモニアを連続的に反応器内に導入することができる。アンモニアは、連続、半連続、またはバッチプロセスで反応器に導入することができる。反応器内に導入されるアンモニアの量を制御し、かつ／または反応器に存在するアンモニアの量を分析するために、弁および／または制御手段を使用することができる。制御手段は、体積流量または質量流量制御器を備えることができる。流出ガス中のアンモニアは色変化フィルタにより、分光学的に、電子的に、質量分析法により、または（フィルタの）質量変化により決定することができる。固定体積／質量付加のための弁は市販されている。
【００３７】
好ましくは、反応器は、用途および要求されるアンモニアの変換速度に応じて、０．０１ｃｍ3から１０，０００リットルの範囲の容積を有する。アンモニア変換または可変組成の混合アンモニア／水素ガスから純粋水素を提供するために、同様の容積または異なる容積の複数の反応器を直列または並列に使用することができる。好ましくは、反応器は、特に車両用の場合、０．０１から１０，０００ｃｍ3、より好ましくは０．１ｃｍ3から１，０００ｃｍ3、より好ましくは１ｃｍ3から２００ｃｍ3または１０ｃｍ3から３００ｃｍ3の範囲、最も好ましくは１０ｃｍ3から１００ｃｍ3、または２０ｃｍ3から１００ｃｍ3の範囲の容積を有する。
【００３８】
本書に記載する方法は好ましくは、アンモニア燃料源を補給するステップをさらに含む。アンモニア燃料源は遠隔タンクに維持することができ、そこから反応器内に導入することができる。遠隔タンクは好ましくは、アンモニアを反応器に導入するために、反応器への管路を有する。アンモニアを燃料源として使用する１つの利点は、補給を迅速に（燃料タンクに石油またはディーゼルを補給するのと同様の速度で）実行することができることである。アンモニアを燃料源として使用することにより、車上補給を行うことが可能になる。さらに、今日、石油および／またはディーゼルが提供されるのと同様の方法で、燃料補給所でアンモニアを提供することができる。これは、代替エネルギ源を補給する他の公知の方法に勝る多くの利点を有する。例えば、電池の充電は時間がかかり、かつ車両とは別個の専用機器を必要とする。これは消費者にとっては明らかに不都合である。したがって、本発明の方法／装置は改善された消費者受容性を有する。
【００３９】
金属および／または金属含有化合物は、１族金属、２族金属、遷移金属、ｐ‐ブロック金属、ランタニド金属、合金、およびそれらの２つ以上の混合物を含み、あるいはそれらから成る群から選択することができる。
【００４０】
金属および／または金属含有化合物は、１族金属、２族金属、遷移金属、ｐ‐ブロック金属、ランタニド金属、合金、およびそれらの２つ以上の混合物または組合せの１つ以上を含むことができる。
【００４１】
１族金属は、Ｎａ、Ｌｉ、Ｋ、Ｒｂ、Ｃｓ、合金、およびそれらの２つ以上の混合物から成る群から選択することができる。好ましくは、１族金属はＮａである。ナトリウムは、アンモニアと反応してナトリウムアミドが形成されるので、特に好ましい。特定の理論に拘束されることを望むものではないが、ナトリウムアミドは分解してイミドを形成することはなく、代わりに窒素ガス、水素ガス、およびナトリウム金属に分解するか、あるいは窒素ガス、水素ガス、および水素化ナトリウムに分解すると考えられる。
【００４２】
１族金属はＮａ、Ｌｉ、Ｋ、Ｒｂ、およびＣｓの１つ以上を含むことができる。１つ以上の金属は、金属、合金、イオン、それらの２つ以上の混合物または組合せの形で存在することができる。
【００４３】
２族金属は、Ｂｅ、Ｍｇ、Ｃａ、Ｓｒ、Ｂａ、合金、およびそれらの２つ以上の混合物から成る群から選択することができる。好ましくは、２族金属はＭｇである。
【００４４】
２族金属は、Ｂｅ、Ｍｇ、Ｃａ、Ｓｒ、およびＢａの１つ以上を含むことができる。１つ以上の金属は、金属、合金、イオン、それらの２つ以上の混合物または組合せの形で存在することができる。
【００４５】
遷移金属は、Ｓｃ、Ｙ、Ｔｉ、Ｖ、Ｃｒ、Ｍｎ、Ｆｅ、Ｃｏ、Ｎｉ、Ｃｕ、Ｚｎ、Ｚｒ、Ｎｂ、Ｍｏ、Ｔｃ、Ｒｕ、Ｒｈ、Ｐｄ、Ａｇ、Ｃｄ、Ｈｆ、Ｔａ、Ｗ、Ｒｅ、Ｏｓ、Ｉｒ、Ｐｔ、Ａｕ、Ｈｇ、合金、およびそれらの２つ以上の混合物から成る群から選択することができる。好ましくは、遷移金属はＨｇまたはＡｇである。
【００４６】
遷移金属は、Ｓｃ、Ｙ、Ｔｉ、Ｖ、Ｃｒ、Ｍｎ、Ｆｅ、Ｃｏ、Ｎｉ、Ｃｕ、Ｚｎ、Ｚｒ、Ｎｂ、Ｍｏ、Ｔｃ、Ｒｕ、Ｒｈ、Ｐｄ、Ａｇ、Ｃｄ、Ｈｆ、Ｔａ、Ｗ、Ｒｅ、Ｏｓ、Ｉｒ、Ｐｔ、Ａｕ、およびＨｇの１つ以上を含むことができる。１つ以上の金属は、金属、合金、イオン、それらの２つ以上の混合物または組合わせの形で存在することができる。
【００４７】
ランタニド金属は、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ、合金、およびそれらの２つ以上の混合物から成る群から選択することができる。好ましくは、ランタニド金属はＥｕまたはＬｕである。
【００４８】
ランタニド金属は、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、およびＬｕの１つ以上を含むことができる。１つ以上の金属は金属、合金、イオン、それらの２つ以上の混合物または組合せの形で存在することができる。
【００４９】
好ましくは、金属含有化合物は、金属水素化物、金属窒化物、金属イミド、およびそれらの２つ以上の混合物または組合せから成る群から選択される。特定の理論に拘束されることを望むものではないが、これらの化合物は、アンモニアと動的に反応して中間体アミドを形成するので、好ましい。
【００５０】
好ましくは、金属含有化合物は、金属水素化物、金属窒化物、金属イミド、およびそれらの２つ以上の混合物または組合せの１つ以上を含むことができる。
【００５１】
金属および／または金属含有化合物は、反応器への導入前に貯蔵かつ／または固体、液体、または分散状態で提供することができる。金属および／または金属含有化合物は溶媒、例えば液体アンモニアに分散することができる。代替的に、かつ／または加えて、金属および／または金属含有化合物は、固体ホスト（例えばメソ細孔性固体）に分散して貯蔵かつ／または提供することができる。
【００５２】
金属および／または金属含有化合物は反応条件下で溶融することができる。
【００５３】
好ましくは、金属および／または金属含有化合物は、１ｇから１０ｋｇ、より好ましくは１０ｇから８ｋｇ、または５０ｇから７ｋｇ、最も好ましくは１００ｇから２ｋｇの量が存在する。好ましくは、金属は１０ｋｇ以下、より好ましくは８ｋｇ以下の量が存在する。
【００５４】
少なくとも１つの中間体を形成する、少なくとも一部のアンモニアと金属および／または金属含有化合物との反応は、触媒の不在下で発生することができる。例えば、少なくとも１つの中間体を形成する、少なくとも一部のアンモニアと金属および／または金属含有化合物との反応は、反応器内に存在する反応条件下で自発的に発生することができる。
【００５５】
好ましくは、少なくとも１つの中間体を形成する、少なくとも一部のアンモニアと金属および／または金属含有化合物との反応は、触媒の存在下で実行される。
【００５６】
触媒は、１つ以上の遷移金属、ランタニド金属、およびそれらの混合物を含むことができる。
【００５７】
好ましくは、触媒は、遷移金属カロゲナイド、ランタニド金属カロゲナイド、遷移金属ハロゲン化物、ランタニド金属ハロゲン化物、遷移金属プニクタイド、ランタニド金属プニクタイド、遷移金属テトレル、ランタニド金属テトレル、およびそれらの２つ以上の混合物から成る群から選択される。
【００５８】
触媒は、液体金属および／または金属含有化合物に溶解かつ／または分散するか、金属および／または金属含有化合物の有無に関わらずホスト媒質中に分散するか、任意選択的にスラリ、エマルジョン、または他の混合物としてアンモニアの液体に溶解かつ／または分散することができる。触媒は遠隔タンクに貯蔵し、反応器内に導入することができる。遠隔タンクは、触媒を反応器内に導入するために、反応器への管路を有することが好ましい。触媒は、注入、ポンピング、噴射、および／または機械的手段によって反応器内に導入することができる。代替的に、かつ／または加えて、触媒は反応器内に提供することができる。
【００５９】
好ましくは、触媒は、金属および／または金属含有化合物に対する触媒の質量比が１：１，０００，０００から１：２の範囲、より好ましくは１：１００，０００から１：１０，０００の範囲内になるように、反応器内に導入される。
【００６０】
好ましくは、触媒は、１μｇから１０ｇの量、より好ましくは５００μｇから８ｇの量、より好ましくは１ｍｇから７ｇの量、最も好ましくは２ｍｇから６ｇの量が存在する。
【００６１】
好ましくは、少なくとも一部のアンモニアは、金属および／または金属含有化合物に対するアンモニアのモル比が１：１から１：２の範囲、より好ましくは１：１．１から１：１．９の範囲、より好ましくは１：１．２から１：１．８の範囲、より好ましくは１：１．３から１：１．７の範囲、最も好ましくは１：１．４から１：１．６の範囲になるように、反応器内に導入される。
反応器内の金属および／または金属含有化合物に対するアンモニアのモル比は、１：１．５とすることができる。好ましくは、少なくとも一部のアンモニアは、上流のアンモニア損失を最小化するために過剰な金属および／または金属含有化合物が存在するように、反応器内に導入される。
【００６２】
少なくとも１つの中間体を形成する、少なくとも一部のアンモニアと金属および／または金属含有化合物との反応は、−３０℃から８００℃の範囲の温度で実行することができる。好ましくは、少なくとも１つの中間体を形成する、少なくとも一部のアンモニアと金属および／または金属含有化合物との反応は、１００℃から８００℃、または１５０℃から６００℃、または２００℃から６００℃の範囲の温度で実行することができる。最も好ましくは、少なくとも１つの中間体を形成する、少なくとも一部のアンモニアと金属および／または金属含有化合物との反応は、１５０℃から５００℃、より好ましくは２２０℃から４５０℃、または２５０℃から４５０℃、または３５０℃から５００℃の範囲の温度で実行される。
【００６３】
好ましくは、少なくとも１つの中間体を形成する、少なくとも一部のアンモニアと金属との反応は、０．０１から１００ＭＰａ、または０．０１から５０ＭＰａ、または０．１から５０ＭＰａ、または１から５０ＭＰａの範囲の圧力で実行される。より好ましくは、少なくとも１つの中間体を形成する、少なくとも一部のアンモニアと金属との反応は、０．１から３０ＭＰａ、または５から３０ＭＰａの範囲、最も好ましくは０．１から２０ＭＰａ、または１０から２０ＭＰａの範囲の圧力で実行される。
【００６４】
本書に記載する方法はまた、金属および／もしくは金属含有化合物ならびに／またはその前駆体を反応器内に導入するステップをも含むことができる。
【００６５】
上に概説した通り、本書に記載する方法では、金属および／または金属含有化合物はアンモニアと反応して、少なくとも１つの中間体および任意選択的に水素を形成する。次いで中間体は分解して水素を形成し、かつ金属および／または金属含有化合物を再生する。再生された金属および／または金属含有化合物は次いで、さらなるアンモニアと反応する。このようにして、金属および／または金属含有化合物はプロセスを再循環し、さらなるアンモニアを水素に変換させることを可能にする。
【００６６】
金属および／もしくは金属含有化合物ならびに／またはその前駆体は、遠隔タンクに貯蔵し、かつ反応器に移送することができる。代替的に、かつ／または加えて、金属および／または金属含有化合物は反応器内に維持することができる。
【００６７】
金属および／もしくは金属含有化合物ならびに／またはその前駆体はポンピング（好ましくは電動）、揮発／還流、噴射によって反応器内に導入することができ、あるいは機械的に導入される。好ましくは、金属および／または金属含有化合物は電磁ポンピングによって導入される。この方法はアンモニアに最もクリーンな反応性表面を有利に提示すると考えられる。
【００６８】
金属および／もしくは金属含有化合物ならびに／またはその前駆体は、固体、液体、または分散した形で、好ましくは−２４０℃から８００℃の温度で、より好ましくは０℃から８００℃の温度で、より好ましくは１００℃から７００℃の温度で、より好ましくは１５０℃から６００℃、または２００℃から６００℃の温度で、最も好ましくは１５０℃から５００℃、または２２０℃から４５０℃、または２５０℃から４５０℃、または３５０℃から５００℃の温度で、反応器に導入することができる。
【００６９】
本書に記載する方法はさらに、アンモニアと金属および／または金属含有化合物の反応によって形成された水素を反応器から取り出すステップをさらに含むことができる。
【００７０】
好ましくは、ステップ（ｉ）で形成された中間体は安定した分離可能な中間体である。中間体は、それが形成された第１反応器から、それが分解される第２反応器へ移送することができる。好ましくは、中間体の分解は吸熱性であり、したがって分解を開始するにはエネルギが必要である。
【００７１】
好ましくは、ステップ（ｉｉ）で形成された中間体の少なくとも一部は、電気化学的、熱的、マイクロ波、機械的、衝撃、燃焼、デトネーション、および／または超音波手段によって、より好ましくは熱的手段によって、分解されて水素を形成し、かつ金属および／または金属含有化合物の少なくとも一部を再生する。例えばステップ（ｉｉ）で形成された中間体がナトリウムアミド（ＮａＮＨ2）である場合、アミドは２３０℃で溶融され、したがって２３０℃以上の温度で第２チャンバへ圧送することができる。より好ましくは、ステップ（ｉｉ）で形成された中間体がナトリウムアミド（ＮａＮＨ2）である場合、アミドは２５０℃で溶融され、したがって２５０℃以上の温度で第２チャンバへ圧送することができる。
【００７２】
中間体の分解から形成された水素は好ましくは、燃料電池および／または原動機へ移送される。任意選択的に、取り出された水素は、存在するアンモニアを除去するためにフィルタに通すことができる。フィルタは上記の通りとすることができる。
【００７３】
中間体が金属アミドである場合、分解反応は例えば次の通りであると考えられる。
【００７４】
【化１】
2015502310.tif 000003
【００７５】
他の原子価電位および／または混合原子価が可能である。金属（Ｍ）は、各々が同一または異なる原子価を有し、反応が化学量論的に平衡する、１つ以上の金属を含むことができることを、当業者は理解されるであろう。
【００７６】
好ましくは、該方法はさらに、第１反応器で形成された中間体の少なくとも一部を第２反応器へ移送するステップを含む。１つの実施形態では、第１反応器で形成された中間体は、第２、第３、および／または後続の反応器へ移送することができ、そこに中間体を分解前に貯蔵することができる。
【００７７】
好ましくは、金属および／または金属含有化合物とアンモニアの反応は不活性雰囲気で実行される。不活性雰囲気は窒素、アルゴン、および／またはヘリウムを含むことができる。
【００７８】
好ましくは、形成された中間体の分解は不活性雰囲気で実行される。不活性雰囲気は窒素、アルゴン、および／またはヘリウムを含むことができる。
【００７９】
本書に記載する方法および／または装置は、１つ以上の反応器を含むことができ、中間体の形成および中間体の分解は同一反応器で実行される。代替的に、かつ／または加えて、本書に記載する方法および／または装置は、１つ以上の第１反応器および１つ以上の第２反応器を含むことができ、中間体は１つ以上の第１反応器で形成され、１つ以上の第２反応器へ移送され、そこで分解される。
【００８０】
上に概説した通り、ステップ（ｉｉｉ）は、好ましくは第１反応器から分離された第２反応器で実行することができる。
【００８１】
本書に記載する方法はさらに、再生された金属および／または再生された金属含有化合物の少なくとも一部を第２反応器から第１反応器へ移送するステップを含むことができる。
【００８２】
本発明の１つの実施形態では、アンモニアから水素を製造するための装置であって、
金属および／または金属含有化合物を収容する反応器と、
アンモニアを燃料として収容する燃料源タンクと、
燃料を反応器内に導入するためにタンクを反応器に接続する管路と、
金属および／または金属含有化合物とアンモニアの反応によって反応器内で形成された中間体の分解を発生させるために反応器にエネルギを投入するように構成され、反応器に連結されたエネルギ源と、
水素を反応器から取り出すための反応器からの水素出口と、
を備えた装置を提供する。
【００８３】
装置はさらに、燃料電池または原動機に接続された水素出口を備えることができる。
【００８４】
上述した装置はさらに、以下を備えることができる。
＊第１反応器および第２反応器を含む反応器。（例えば、反応器は第１反応器ユニットおよび第２反応器ユニットを含むことができる。）
＊第１反応器で形成された中間体を第２反応器へ移送するために第１および第２反応器を接続する第２管路。
＊燃料を反応器内に導入するためにタンクを反応器に接続する管路は、アンモニアを第１反応器内に導入することができるように、第１反応器に接続される。
＊第１反応器内で金属および／または金属含有化合物とアンモニアの反応によって形成された中間体、好ましくは金属アミドの分解を生じるためにエネルギを反応器に投入するように構成されたエネルギ源は、第２反応器に連結される。
＊水素を反応器から取り出すために、水素出口は第２反応器に接続される。
装置はさらに、中間体の分解から再生された金属および／または金属含有化合物を第１反応器へ移送するために、第２反応器から第１反応器への再循環管路を備える。
【００８５】
好ましくは、一方または両方の水素出口は燃料電池または原動機に接続される。
【００８６】
記載した方法および装置で概説したステップは、任意の適切な順序で実行することができることは理解されるであろう。
【００８７】
本発明は、以下に概説する多くの利点を有する。
【００８８】
アンモニアと反応して中間体を形成する金属および／または金属含有化合物は、中間体の分解により再形成され、こうしてそれをプロセスで再利用することができる。
【００８９】
好ましくは、中間体は、アンモニアと金属および／または金属含有化合物との発熱反応で形成される。これは、反応自体が熱をもたらすので、起動時間（すなわちシステムが動作温度に達するまでの時間）が低く維持されることを意味する。さらに、この反応は、燃料電池で電気エネルギを生成するために使用される水素（好ましくは０．５〜１．０Ｈ2分子）（金属および／または金属含有化合物の性質によって異なる）を放出することが好ましい。この電気エネルギは次いで、さらに中間体を加熱して分解させるために、または高速起動のための電気エネルギを車両に提供するために使用することができる。
【００９０】
好都合にも、提案するシステムは単純であり、２段階の反応に頼って水素および任意選択的に窒素を発生させる。
【００９１】
本書に記載するプロセスはエネルギ効率が高い。熱力学的計算は、事前に発生した０．５〜１．０Ｈ2が燃料電池に送られ、結果的に得られた電気エネルギが中間体を加熱するために使用される場合に、アンモニアと金属および／または金属含有化合物（好ましくはナトリウム）との反応、ならびに形成された中間体（好ましくはナトリウムアミド）のその後の分解が、熱的にほぼ中立であることを示す。
【００９２】
ナトリウム金属は、ルテニウムのような従来のアンモニア熱分解触媒と比較してコストがかなり低い、安価かつ豊富に存在する金属であるので、本発明ではナトリウム金属を使用することが有利である。
【００９３】
大部分の固体水素貯蔵システムは、錯体水素化物の大量貯蔵に依存する。記載するプロセスでは、水素貯蔵媒体は、制限質量の金属および／または金属含有化合物と反応するアンモニア（〜１８ｗｔ％）であり、金属および／または金属含有化合物は分解プロセスの一部として再形成され、その後追加アンモニアと反応して水素を発生する。このプロセスは触媒プロセスではなく、金属および／または金属含有化合物が反応物質である２段階プロセスであることが好ましい。記載するプロセスでは、常時比較的小さい質量の金属および／または金属含有化合物ならびにアンモニアを組み合わせる必要があるだけなので、反応器の重量および容積を公知の反応器より低減することができる。１ｋｇの金属および／または金属含有化合物（金属および／または金属含有化合物＝Ｎａの場合）が約７４０ｇのアンモニアと反応することのできる反応器は、６５ｇのＨ2を提供するのに充分である。しかし、金属および／または金属含有化合物の再形成により、２００ｇの金属および／または金属含有化合物で同じ反応を５回実行することによって、同量の水素を発生させることができる。そのような反応器は、１ｋｇの反応器よりずっと小型かつ軽量とすることができる。実際、金属および／または金属含有化合物の質量が小さければ小さいほど、容易かつ高速でそれを循環させることができる。したがって、車両ベースシステムは、車両の燃料電池／パワートレインに必要な水素に相関する反応器の大きさおよび個数を有する。
【００９４】
次に、本発明のこれらおよび他の態様を添付の図に関連して説明する。
【図面の簡単な説明】
【００９５】
【図１】本発明に係るプロセスの略図である。
【図２】本発明のプロセスの実施形態を実行するための装置の略図である。この実施形態では、１つの反応器だけが水素製造に使用される。
【図３】本発明のプロセスの実施形態を実行するための装置の略図である。この実施形態では２つの反応器が水素の製造に使用される。第１反応器では、中間体、好ましくは金属アミドが形成される。次いで中間体は第２反応器に移送され、そこで中間体は分解されて水素を放出し、かつ金属および／または金属含有化合物を再生する。
【図４】本発明のプロセスを実行するための反応器の略図である。この実施形態では、１つの反応器だけが水素製造に使用される。
【図５】アンモニアが溶融ナトリウムを介して供給される反応器の代替的設計を示す。
【図６】本発明のプロセスの実施形態を実行するための反応器の略図である。これらの実施形態では、１つの反応器だけが水素製造に使用される。
【図７】本発明のプロセスの実施形態を実行するための反応器の略図である。これらの実施形態では、１つの反応器だけが水素製造に使用される。
【図８】２５０℃、アンモニア流量１０ｓｃｃｍでアンモニアから窒素および水素への不完全な変換を示すグラフである。
【図９】アンモニアの流量を４０ｓｃｃｍに増大すると窒素および水素の相対分圧が低下することを示すグラフである。
【図１０】温度を４５０℃に上げたときに、アンモニアから窒素および水素への全変換が観察されることを示すグラフである。
【図１１】温度を通して窒素および水素へのアンモニア変換率を制御することができることを示すグラフである。
【図１２】本発明の実施形態を実行するための反応器の断面図である。これらの実施形態では、１つの反応器だけが水素製造に使用される。
【図１３】本発明の実施形態を実行するための反応器の断面図である。これらの実施形態では、１つの反応器だけが水素製造に使用される。
【図１４】本発明の実施形態を実行するための反応器の断面図である。これらの実施形態では、１つの反応器だけが水素製造に使用される。
【発明を実施するための形態】
【００９６】
上に概説した通り、図２は、本発明のプロセスの実施形態を実行するための装置の略図である。この実施形態では、水素の製造に１つの反応器だけが使用される。
【００９７】
装置は、金属および／または金属含有化合物（２）を収容する反応器（１）と、アンモニア（４）を燃料として収容する燃料源タンク（３）とを備える。管路（５）は、燃料を反応器（１）に導入するために、タンク（３）を反応器（１）に接続する。エネルギ源（６）は反応器（１）に連結され、金属および／または金属含有化合物（２）とアンモニア（４）の反応によって反応器（１）で形成された中間体の分解を生じるために、反応器（１）内にエネルギを投入するように構成される。装置はまた、水素を反応器（１）から取り出すための反応器（１）からの水素出口（７）をも備える。
【００９８】
任意選択的に、金属および／または金属含有化合物を反応器（１）内に導入するために、反応器（１）への追加管路を設けることができる。
【００９９】
上に概説した通り、図３は、本発明のプロセスの実施形態を実行するための装置の略図である。この実施形態では、水素の製造に２つの反応器が使用される。第１反応器（１０）では、中間体、好ましくは金属アミドが形成される。次いで中間体は第２反応器（８０）に移送され、そこで中間体は分解されて水素を放出し、かつ金属および／または金属含有化合物を再生する。
【０１００】
図３では、装置は、金属および／または金属含有化合物（２０）を収容する第１反応器（１０）と、第２反応器（８０）とを備える。燃料としてアンモニア（４０）を収容する燃料源タンク（３０）は、アンモニア（４０）と金属および／または金属含有化合物（２０）の反応を生成して中間体、好ましくは金属アミドを形成するために、燃料を反応器（１０）に導入するための管路（５０）によって反応器（１０）に接続される。装置は任意選択的に、水素を反応器（１０）  から取り出すための反応器（１０）からの水素出口（７０）を備える。第２管路（９０）は、第１反応器（１０）で形成された中間体を第２反応器（８０）に移送するために、第１反応器（１０）および第２反応器（８０）を接続する。エネルギ源（１００）は、金属および／または金属含有化合物（２０）とアンモニア（４０）の反応によって第１反応器（１０）内で形成された中間体、好ましくは金属アミドの分解を発生させるために、反応器（８０）にエネルギを投入するように構成される。反応器（８０）から水素を取り出すために、少なくとも１つの水素出口（１１０）が第２反応器（８０）に接続される。装置はさらに、中間体の分解から再生された金属および／または金属含有化合物を第１反応器（１０）に移送するために、第２反応器（８０）から第１反応器（１０）への循環管路（１２０）を備える。
【０１０１】
任意選択的に、金属および／または金属含有化合物を反応器内に導入するために、反応器（１０）への追加管路を設けることができる。
【０１０２】
任意選択的に、追加エネルギ源を第１反応器（１０）に連結し、第１反応器（１０）にエネルギを投入するように構成することができる。
【０１０３】
図４は、本発明のプロセスの実施形態を実行するための反応器の略図を示す。  この実施形態では、水素の製造に１つだけの反応器が使用される。この実施形態では、ナトリウム（２６０）が反応器内に入れられる。アンモニアガスは管路（２５０）を介して導入される。低温窒素は管路（２１０）および／または（２２０）を介して導入することができる。例えば炉、加熱器、電磁ポンプ、および／または電気化学セルとすることのできるエネルギ源（２７０）は、エネルギを反応器に投入するように構成される。ナトリウム蒸気（２４０）は、アンモニアと反応する溶融ナトリウムから生成することができる。中間体が形成され、それは分解して窒素および水素（２３０）をもたらし、ナトリウムは再循環されて、さらなるアンモニアと反応する。水素は管路２００を介して取り出される。取り出された水素は、水素および存在するアンモニアを検出するために質量分析機に移送することができる。
【０１０４】
好ましくは、反応器は１５０℃から５００℃、または２２０℃から５００℃、または２５０℃から５００℃の温度で動作する。
【０１０５】
図５は反応器の代替的設計を示し、ここではアンモニアが溶融ナトリウムを通して供給される。そのような設計は、より高い中間体形成：ＮＨ3比が形成されるのを可能にし、かつ溶融ナトリウムの表面変色の問題を軽減または潜在的に排除するので、好ましい。それはまた、反応器の設計も簡素化する。好ましくは、アンモニア内管は、ナトリウムを高温ゾーン内で溶融状態に維持しながらしかもアンモニアを溶融ナトリウム中にバブリングさせるために、液体金属Ｍの液面より下に位置するスワンネック形または直管形アンモニア供給管路を有する。この実施形態では、ナトリウム（３６０）が反応器に入れられる。
【０１０６】
アンモニアガスは管路（３５０）を介して導入される。低温窒素は管路（３１０）および／または（３２０）を介して導入することができる。例えば炉、加熱器、電磁ポンプ、および／または電気化学セルとすることのできるエネルギ源（３７０）は反応器にエネルギを投入するように構成される。中間体が形成され、それは分解して窒素および水素（３３０）をもたらし、ナトリウムは再循環されて、さらなるアンモニアと反応する。水素は管路３００を介して取り出される。取り出された水素は、水素および存在するアンモニアを検出するために質量分析機に移送することができる。
【０１０７】
好ましくは、反応器は１５０℃から５００℃、または２２０℃から５００℃、または２５０℃から５００℃の温度で動作する。
【０１０８】
図６の主要要素を以下に掲げる。
４００：Ｎ2、Ｈ2、およびＮＨ3を検出する質量分析機へ
４０５：高温アンモニアガス（炉温）入口
４１０：低温Ｎ2入口
４１５：３１６ステンレス
４２０：１８．５４ｇ（２０ｃｍ3）の溶融ナトリウム
４２５：ＲＴ（室温）ないし８００℃、０．１ＭＰａのＮＨ3／Ｎ2
４３０：３００ｍｍ
４３５：Ｃｕガスケット
４４０：熱電対
４４５：ウェル
４５０：１００ｍｍ
４５５：Ｎ2およびＨ2
４６０：外部管状炉
４６５：２０ｍｍ
４７０：溶融ナトリウム
４７５：ナトリウム蒸気
図７の主要要素を以下に掲げる。
５００：Ｎ2、Ｈ2、およびＮＨ3を検出する質量分析機へ
５０５：高温アンモニアガス（炉温）入口
５１０：低温Ｎ2入口
５１５：３１６ステンレス
５２０：１８．５４ｇ（２０ｃｍ3）の溶融ナトリウム
５２５：ＲＴないし８００℃、０．１ＭＰａのＮＨ3／Ｎ2
５３０：３００ｍｍ
５３５：Ｃｕガスケット
５４０：熱電対
５４５：ウェル
５５０：１００ｍｍ
５５５：Ｎ2およびＨ2
５６０：外部管状炉
５６５：２０ｍｍ
５７０：溶融ナトリウム
５７５：ナトリウム蒸気
図１２の主要要素を以下に掲げる。
６００：熱電対筐体
６０５：１００ＣＦトップブランク
６１０：１００ＣＦ炉容器フランジ
６１５：大炉管（長さ２５８．５ｍｍ）
６２０：長い熱電対ポケット（長さ２８０ｍｍ）
６２５：短い熱電対ポケット（長さ７０ｍｍ）
６３０：炉台
６３５：パーカ突合せ溶接継手
６４０：パーカ突合せ溶接継手
６４５：トラップ容積を最小化する
６５０：面一係合でトラップ容積を最小化する
６５５：４７．０ｍｍ
６６０：Φ９５．０ｍｍ
６６５：２５０．０ｍｍ
図１３の主要要素を以下に掲げる。
７００：詳細ＡＳ  ＤＮ１００ＣＦフランジ
７０５：詳細ＡＳ  ＤＮ１００ＣＦフランジ
７１０：Ｍ８×５５六角頭ボルト
７１５：上下高さ感知用に熱電対ポケット内に２つがオフ溶接。内径１．８ｍｍ
７２０：パーカ・ハニフィンＺＨＢＷ２  ６‐１／２突合せ溶接コネクタ
７２５：パーカ・ハニフィンＺＨＢＷ２  ４‐１／２突合せ溶接コネクタ、３オフ。
７３０：ＤＮ１００  ＣＦ  銅ガスケット
７３５：２５０ｍｍ
７４０：Φ９５ｍｍ
７４５：５ｍｍ
７５０：Φ１５２ｍｍ
７５５：４７ｍｍ
７６０：２０ｍｍ
７６５：反応器
図１４の主要要素を以下に掲げる。
８００：  反応器
上記の詳細説明は、説明および例証として提示したものであり、添付する特許請求の範囲を制限する意図はない。本書に示す現在の好適な実施形態の多くの変形が当業者には明らかになるであろうが、それらは添付する請求項およびそれらの均等物の範囲内に留まる。
【０１０９】
以下の非限定実施例は、本発明をさらに例証する。
【実施例１】
【０１１０】
ステンレス鋼反応器（外径１００ｍｍ、高さ３００ｍｍ）に不活性（Ｎ２、Ａｒ、またはＨｅ）雰囲気で１８．５４ｇ（液体の場合２０ｃｍ3）の純粋ナトリウム金属を予め装填する。反応器を該雰囲気から隔離し、ガスハンドリングパネルに接続し、次いで０．６〜１ｋＰａの圧力まで真空排気する。ナトリウムを３００℃の１００ｋＰａ流動（６０ｓｃｃｍ（毎分標準立法センチメートル））水素ガス中で洗浄し／予備反応させて、ナトリウム金属の表面における反応開始のためにナトリウム金属の表面を還元しかつ／またはＮａＨを形成するが、このステップは不可欠ではない。システムを水素で前処理した場合、装置は次いで、アンモニアの導入前に、再び０．６〜１ｋＰａの圧力まで真空排気される。次いで反応器の下半分を５００℃に加熱し、上半分は室温の高純度乾燥窒素緩衝ガス（１００ｋＰａ）で連続的にフラッシングする。質量流量制御器によって制御される流量１ｃｍ3／秒（６０ｓｃｃｍ）の高純度乾燥アンモニアガス（Ｈ2Ｏ＜１ｐｐｍ）を５００℃に加熱し、次いでナトリウム反応器内の溶融金属より上のナトリウムの揮発蒸気（反応器１）中に送達するか、または液体ナトリウムの液面より下に送達して液体ナトリウム中にバブリングさせる（反応器２）。アンモニアとナトリウムは反応し、その結果ＮａＮＨ2が形成され、それは次いで分解し、化学反応式１、２、２ａ、および２ｂに従ってナトリウム金属（溶融タンクに還流される）、Ｎ2、およびＨ2を生成する。
【０１１１】
【化２】
2015502310.tif 000004
【０１１２】
式２および２ａは競合して発生することがあるが、反応温度（５００℃）では、式２ｂにあるように、両方とも自発的に発生する。
【０１１３】
Ｈ2はアンモニアの流量の１．５倍の速度で発生し（したがって９０ｓｃｃｍ）、Ｎ2はアンモニアの流量と同じ速度で発生する（６０ｓｃｃｍ）。アンモニア供給原料が６０ｓｃｃｍの流量で添加される限り、反応はこの速度で続く。Ｈ2およびＮ2生成の生成速度はアンモニアの添加速度に対し直線的に変化する。
【実施例２】
【０１１４】
多量の前駆物質（Ｎａ、ＮａＨ、ＮａＮＨ2、またはそれらの何らかの組合せ）を不活性雰囲気下で反応器内に装填し、次いで反応器を密閉し、不活性ガス供給源に接続する。不活性ガス（典型的にはＡｒ）を反応器に通流させ、反応器内および前駆体物質上の不活性雰囲気を維持する。前駆体物質を不活性雰囲気下で加熱して分解させ、反応のための純粋Ｎａ金属表面を形成する。代替的に、Ｎａ、ＮａＨ、およびＮａＮＨ2の適切な混合物を使用する場合、分解ステップは不要である。純粋Ｎａ表面が生成されたときに、流動する不活性雰囲気下で、または流動するＮＨ3雰囲気下で、水素生成のための適切な温度に達するまで、試料を加熱する。この温度は１００℃から８００℃の間、好ましくは１００℃から５００℃の間であり、１５０℃から４５０℃の間であることが最適である。要求される水素の流量に応じて、１ｓｃｃｍから５００ｓｃｃｍの間のＡｒおよび／またはＮＨ3の流量が適している。
【０１１５】
反応はＮａＮＨ2の生成および分解に対応し、水素を発生する。水素の発生は窒素の発生後に始まり、それは、アンモニアの初期反応／分解で発生する水素が金属ナトリウムによって捕捉されることを示唆する。温度が頭打ち状態になると、窒素の発生速度も頭打ち状態になる。
【０１１６】
温度が低下するにつれても、水素および窒素は発生し続けるが、温度が充分に低下すると、アンモニアの全部は変換されず、排気流中のアンモニアの濃度は増大する。
【０１１７】
アンモニアの窒素および水素への変換または部分変換は、ｉ）Ｎａ／ＮａＨ、ＮａＮＨ2反応体の質量、ｉｉ）アンモニアの流量、およびｉｉｉ）温度に依存する。
【０１１８】
次いで反応器をアルゴンでフラッシングし、冷却させる。室温に達したら、反応器をアルゴン下で２５０℃から２６０℃の間まで加熱し、その温度になったら、１０ｓｃｃｍのアンモニア流に曝露させる。アンモニアを（〜２６０℃に相応する温度で）導入するとすぐにＮ2の発生が観察され、その後まもなくＮ2Ｈ4が発生し、それに続いてＨ2が発生する。
【０１１９】
図８は、２５０℃のアンモニア流量１０ｓｃｃｍでのアンモニアの窒素および水素への不完全な変換を示す。
【０１２０】
次いでこの流量が４０ｓｃｃｍに上がると、アンモニアの濃度の増加と共に、窒素および水素の分圧の低下が観察される（図９、時間＝０）。温度はわずかに増大し、水素シグナルだけが増加を示し、それは分解の速度に対するアミドの形成速度の増加を示唆する。
【０１２１】
図９は、アンモニアの流量を４０ｓｃｃｍに上げると、窒素および水素の相対分圧が低下することを示す。その後の温度の上昇は、分解の速度に対するアミドの形成速度を増大させ、したがって材料のアミドへの漸進的変換を引き起こす。
【０１２２】
次いで温度を４５０℃に上げ、アンモニアの窒素および水素への全変換を観察する（図１０）。この変換は、流量および温度を一定に維持する限り続く。
【０１２３】
図１１は温度の影響を示す。温度が低下すると、アミドの形成速度はアミドの分解速度より高くなり、水素の分圧が上昇する一方、窒素の分圧は低下する。アンモニア濃度も上昇し、それは２つのプロセスの相対速度およびアミドへの変換に利用可能なＮａ／ＮａＨの量を示す。アンモニアの窒素および水素への変換は３００℃未満でも続くが、流入するアンモニアの全部を変換するには不充分な変換速度である。温度が上がると、アミドの分解速度／アンモニアの変換速度はそれに応じて上昇する。
【０１２４】
図８ないし図１１は次のことを示す。
１）アンモニアは、例えば２２０℃〜４５０℃の温度範囲内で窒素および水素に変換される。
２）アンモニアの総変換効率は、反応体の質量、アンモニアの流量、反応器内の、かつアンモニア流量に対する、Ｎａ／ＮａＨ／ＮａＮＨ2反応体の温度および位置によって変化すると考えられる。特定の理論に拘束されることを望むものではないが、発熱性（Ｎａ／ＮａＨ＋ＮＨ3→ＮａＮＨ2＋０．５／１．０Ｈ2）および吸熱性（ＮａＮＨ2→Ｎａ＋０．５Ｎ2＋Ｈ2）のプロセスに予想される通り、温度はアンモニアの変換速度を制御する際の最も重要な変数であると考えられ、高い温度は吸熱性プロセスに有利であり、したがって変換速度を増大させる。いかなる段階でも、温度が高すぎてアミドの形成が妨げられることはない。
３）ひとたびプロセスが始まると、アンモニアが流れ続ける限り、アンモニアの変換は低減することなく続くことが好ましい。温度が変化すると、これらのプロセスの速度が変化する。システムのアンモニア変換能力が時間の関数として低下することはなさそうである。
４）システムは、ガスの変化によっても、そのアンモニア変換能力を損なうことなく、冷却および加熱することができる。
【図１】
2015502310.tif 000005
【図２】
2015502310.tif 000006
【図３】
2015502310.tif 000007
【図４】
2015502310.tif 000008
【図５】
2015502310.tif 000009
【図６】
2015502310.tif 000010
【図７】
2015502310.tif 000011
【図８】
2015502310.tif 000012
【図９】
2015502310.tif 000013
【図１０】
2015502310.tif 000014
【図１１】
2015502310.tif 000015
【図１２】
2015502310.tif 000016
【図１３】
2015502310.tif 000017
【図１４】
2015502310.tif 000018
【国際調査報告】
2015502310.tif 000019
2015502310.tif 000020
2015502310.tif 000021
2015502310.tif 000022
2015502310.tif 000023